(57)【要約】【課題】本願発明は、全体の大きさは抑え、加湿空気量を増やすことができる加湿器を提供することを目的とする。【解決手段】本体ケースに吸気口と吹出口と操作部を有し、前記本体ケース内に、ファンケーシング及びこのファンケーシングに収納される送風ファンと、前記送風ファンを駆動するファンモータと、空気を加湿する回転フィルターを有する加湿器において、前記送風ファンは、ダブルシロッコファンであり、前記ファンモータにより回動される軸に軸支され、第１及び第２のファン吸込口を有し、前記第１及び第２のファン吸込口は、前記軸に直交する面で且つ平行な２つの面に対向して設けられ、前記第１のファン吸込口は、前記吸気口の近くの領域に開口し、前記第２のファン吸込口は、前記吸気口から離れた領域に開口する加湿器。【選択図】図５
2009293830.tif 000002
【特許請求の範囲】
【請求項１】
本体ケースに吸気口と吹出口と操作部を有し、前記本体ケース内に、ファンケーシング及びこのファンケーシングに収納される送風ファンと、前記送風ファンを駆動するファンモータと、空気を加湿する回転フィルターを有する加湿器において、
前記送風ファンは、ダブルシロッコファンであり、前記ファンモータにより回動される軸に軸支され、第１及び第２のファン吸込口を有し、
前記第１及び第２のファン吸込口は、前記軸に直交する面で且つ平行な２つの面に対向して設けられ、
前記第１のファン吸込口は、前記吸気口の近くの領域に開口し、前記第２のファン吸込口は、前記吸気口から離れた領域に開口することを特徴とする加湿器。
【請求項２】
前記吸気口と前記第１のファン吸込口との間には、前記ファンモータが配置されることを特徴とする請求項１に記載の加湿器。
【請求項３】
前記第１のファン吸込口が連通する領域と前記第２のファン吸込口とが連通する領域とは、前記本体ケースと前記操作部区画壁と前記ファンケーシングとで形成される空気通路を介して連通することを特徴とする請求項１または２に記載の加湿器。
【請求項４】
前記吹出口及び前記吹出口に連通する加湿空気排出通路を加湿器の後方側に設け、前記空気通路を前記加湿器の前方側で前記軸に平行に設けることを特徴とする請求項１ないし３のいずれか一に記載の加湿器。
【発明の詳細な説明】
【技術分野】
【０００１】
本願発明は、風量並びに加湿効率を高めてなる回転フィルターを有する加湿器に関するものである。
【背景技術】
【０００２】
現在加湿器としては、気化式フィルターとファンとからなるもの、或いは更にヒーターを併設した等ものがある。本出願人は、ヒーター及び回転フィルターを有する後者のタイプの加湿器を既に提案している。
【０００３】
そのものを図１０（右側面からみた断面図）に示す。その概略を説明すると、加湿器１は、前壁１ａ、後壁１ｂ、図示しない左側壁及び右側壁等を有する左右方向に長い横断面略矩形状の機器で、内部は水平壁２及び垂直壁３により、領域Ｍ１〜領域Ｍ５に区画される。
【０００４】
領域Ｍ１は、右上部の後方に形成される領域で、ファンモータ４を有し、更にその領域を形成する後壁１ｂには吸気口５が設けられる。前記領域Ｍ２は、領域Ｍ１の前方に形成され、領域Ｍ１に連通する領域でシロッコファンからなる送風ファン６が配置される。また、送風ファン６の下方には、ヒーター７が設けられ、送風ファン６により送られる空気を加熱する。
【０００５】
前記領域Ｍ３は、加湿器１の下方の左右方向の広い範囲に亘って設けられ、領域Ｍ２に連通する領域で、収納トレー８に収納される回転フィルター９が設けられる。この回転フィルター９は、１本の回転軸に複数の円盤状の平板プレートを若干の隙間を有して組み付けてなり、フィルターモータにより回動され、収納トレー８内の水Ｗをかき上げる。ヒーター７により暖められた空気を回転フィルター９によってかき上げられた水に当てることにより、空気に水を加湿させ、その加湿された空気を下流側に送り、図示しない吹出口から室内に供給する。
【０００６】
領域Ｍ４は、左上部の後方に形成される領域で、領域Ｍ３に連通し、加湿された空気を左上端部に設けられ、吹出口に送る。なお、領域Ｍ５は、右側壁の左側に突き出た部分で、図示しない水タンクが上下方向に配設される。
【０００７】
この加湿器１での空気の流れは、次のように行われる。即ち、送風ファン６が回動すると、空気は、右上部後方の後壁１ｂに設けられる吸気口５から白抜き矢印（１）で示すように導入される。導入された空気は、白抜き矢印（２）で示すように送風ファン６に送られ、該送風ファン６により白抜き矢印（３）で示すように下方に押し出される。
【０００８】
下方に押し出された空気は、送風ファン６の下方に位置するヒーター７に送られ、該ヒーター７により加熱される。加熱された空気は、白抜き矢印（４）で示すように領域Ｍ３の回転フィルタ９に送られ加湿される。
【０００９】
加湿された空気は、黒塗り矢印（５）で示すように左上部の後方に形成される領域Ｍ４に導入され、次いで、この領域Ｍ４の通路を通って上方へ送られ、吹出口から室内に供給される。このように上記加湿器１は全体がコンパクトに形成されており、持ち運びが容易であり利便性の高いものである（例えば、特許文献１参照）。
【００１０】
ところで、上記従来の加湿器は、小型のものでファンもシングルファンが用いられていた。そのため、どうしても加湿風量が限られていた。
【特許文献１】特開２００６−３２９４６７
【発明の開示】
【発明が解決しようとする課題】
【００１１】
本願発明は、大型化することなく、加湿空気量を増やすことができる加湿器を提供することを目的とするものである。
【課題を解決するための手段】
【００１２】
上記目的を達成するため、本願発明は以下の構成を採用する。
【００１３】
請求項１に係る発明では、本体ケースに吸気口と吹出口と操作部を有し、前記本体ケース内に、ファンケーシング及びこのファンケーシングに収納される送風ファンと、前記送風ファンを駆動するファンモータと、空気を加湿する回転フィルターを有する加湿器において、前記送風ファンは、ダブルシロッコファンであり、前記ファンモータにより回動される軸に軸支され、第１及び第２のファン吸込口を有し、前記第１及び第２のファン吸込口は、前記軸に直交する面で且つ平行な２つの面に対向して設けられ、前記第１のファン吸込口は、前記吸気口の近くの領域に開口し、前記第２のファン吸込口は、前記吸気口から離れた領域に開口する構成。即ち、２つのシロッコファンをそれぞれの吸込口が対向するように配置する構成により、ダブルシロッコファンの設置面積を小さく抑え、空気量を増大させる。
【００１４】
請求項２に係る発明では、前記吸気口と前記第１のファン吸込口との間には、前記ファンモータが配置される構成。そしてこのような構成により、第１のファン吸込口への空気の流れが確実になり、且つ流入する空気によりファンモータが冷却される。
【００１５】
請求項３に係る発明では、前記第１のファン吸込口が連通する領域と前記第２のファン吸込口とが連通する領域とは、前記本体ケースと前記操作部区画壁と前記ファンケーシングとで形成される空気通路を介して連通する構成。そしてこの構成により、空気通路を格別形成することなく、既存の空間を有効に利用できる。
【００１６】
請求項４に係る発明では、前記吹出口及び前記吹出口に連通する加湿空気排出通路を加湿器の後方側に設け、前記空気通路を前記加湿器の前方側で前記軸に平行に設ける構成。そしてこの構成により、吹出口及び加湿空気排出通路を妨げることなく、空気通路を形成できる。
【発明の効果】
【００１７】
請求項１に係る発明では、送風ファンを、ファンモータにより回動される軸に軸支されるダブルシロッコファンにし、それぞれのファン吸込口を軸に直交する面で且つ平行な２つの面に対向して設けるとともに、第１のファン吸込口を吸気口の近くの領域に開口し、第２のファン吸込口を吸気口から離れた領域に開口することにより、送風ファンを加湿器内にコンパクトに収納することができるとともに、加湿風量を増大することができる。
【００１８】
請求項２に係る発明では、吸気口と第１のファン吸込口との間にファンモータを配置することにより、請求項１に係る発明の効果に加え、吸気口と第１のファン吸込口とは短い距離になり、第１のファン吸込口への空気の流れを滑らかにすることができる。また、空気によりファンモータを冷却することができると共に、空気を加熱することができるため、加湿効率を向上することができる。
【００１９】
請求項３に係る発明では、第１のファン吸込口が連通する領域と第２のファン吸込口とが連通する領域とを、本体ケースと操作部区画壁とファンケーシングとで形成される空気通路を介して連通することにより、請求項１、２に係る発明の効果に加え、既存の空間を有効に利用できるため、生産コストの高騰を抑制することができる。
【００２０】
請求項４に係る発明では、吹出口及び吹出口に連通する加湿空気排出通路を加湿器の後方側に設け、空気通路を加湿器の前方側で前記軸に平行に設けることにより、請求項１〜３に係る発明の効果に加え、吹出口及び加湿空気排出通路を妨げることなく、空気通路を形成することができるため、加湿器を小型化することができる。
【実施例】
【００２１】
図１は加湿器の全体斜視図を示し、図２は加湿器の平面図を示し、図３は加湿器の背面図を示し、図４は図２のＩＶ−ＩＶ線断面図を示し、図５は図４のV−V線断面図を示し、図６は図２のVI−VI線断面図を示し、図７〜図９には回転フィルター、プレート及び軸の斜視図をそれぞれ示す。なお、加湿器の前後及び上下は図に示すとおりであり、左右方向は図３及び図４の左右方向をいう。
【００２２】
加湿器２０は、本体ケース２１と、該本体ケース２１の右方に載置される水タンク４５等からなる。本体ケース２１は樹脂製の部材であり、フロントケース２２、リアケース２３、トップケース２４及びボトムケース２５からなり、内部に設けられるファンケーシング２６、水平区画壁２７等により、領域Ｍ１〜Ｍ６が形成される。
【００２３】
領域Ｍ１は、本体ケース２１内の上方の左側に形成される領域で、内部にファンモータ２９を有する。また、領域Ｍ１は、リアケース２３により区画されるとともに、領域Ｍ１を区画するリアケース２３の左側コーナー部には図１〜図３に示すように多数の穴を有する吸気口３０が形成され、該吸気口３０にはエアーフィルター３１が配置される。送風ファン３２が駆動されると吸気口３０から領域Ｍ１内に空気が取り込まれる。領域Ｍ１に取り込まれた空気は、ファンモータ２９を冷却し、加熱され、領域Ｍ１に開口する第１の吸込口３４及び領域Ｍ１の右方側に位置する領域Ｍ６に開口する第２の吸込口３４’から送風ファン３２内に取り込まれる。
【００２４】
領域Ｍ２は、領域Ｍ１の右側でファンケーシング２６により形成され、領域Ｍ１と連通する領域で、内部にシロッコファンからなる送風ファン３２が配置される。送風ファン３２は、同じ形状のものを２個背中合わせにし、１本のファン回転軸３３に軸支され、ファンモータ２９により回動される。そして、それぞれの吸込口３４、３４’は離れた反対側、即ち、ファン回転軸３３に直交する面で且つ平行な２つの面に対向して設けられる。より具体的には、第１の吸込口３４は吸気口３０の近く、即ち、吸気口３０が連通する領域Ｍ１に開口し、第２の吸込口３４’は吸気口３０から離れた後記の領域６に開口する。なお、送風ファンは全体として１製品として形成される。
【００２５】
ファンケーシング２６は下方に送風ファン３２に対応したファン排出口３５を有しており、送風ファン３２、３２からの空気を図６の白抜き矢印（３）で示すように下方に押し出す。ファン排出口３５の下方には、ヒーター３７が配置され、ファン排出口３５から下方に押し出される空気を加熱し、下端に形成されるヒーター排出口３７ａから排出する。
【００２６】
領域Ｍ１及びＭ２とトップケース２４との間には水平な区画壁３６ａによりその下面が区画される操作部３６が形成され、操作部３６内には、各種電子素子及びスイッチ等が搭載される基板３６ｂが設けられる。そして、このスイッチを操作することによりヒーター３７が通電される。
【００２７】
領域Ｍ３は、領域Ｍ１及びＭ２の下方に水平区画壁２７により形成される領域で、領域Ｍ２とファン排出口３５により連通し、送風ファン３２から押し出されヒーター３７により加熱される空気を図６の白抜き矢印（４）で示すように導入する。
【００２８】
領域Ｍ３には、水受トレー３８が収納自在に配置される。水受トレー３８は、対向する垂直の右方隔壁３９及び左方隔壁４０との間に形成される水溜部４１と、右方隔壁３９の右側に略水平に一体形成される貯水部４２とからなり、水タンク４５が領域Ｍ５に載置されない状態で図１の後方から前方に水平に押し込むことにより本体ケース２１の下方に収納され、収納された状態では、水溜部４１は本体ケース２１内の領域Ｍ３に位置し、貯水部４２は本体ケース２１の領域Ｍ５の下方に位置する。
【００２９】
右方隔壁３９及び左方隔壁４０には、図示しないＵ字状溝の軸受がそれぞれ形成されており、それら軸受に後記する回転フィルター６０のフィルター回転軸６３が回動自在に軸支される。回転フィルター６０により加湿された空気は、フィルター排出口６０ａより送風ファン３２の後方に形成される領域Ｍ４に排出される。
【００３０】
なお、ファンケーシング２６の下方には、垂直状壁２６ａ（図６参照）を回転フィルター６０の上端近傍にまで垂下させ、この垂直状壁２６ａの下端部をフィルター排出口６０ａの上端部としている。そして、この垂直状壁２６ａは、ファン回転軸３３とフィルター回転軸６３とを結ぶ線Ｑ−Ｑより加湿器２０の前面側、空気の流れでいえば上流側にずらして設けられる。垂直状壁２６ａを上流側にずらして設けることにより、空気が滞留する上流側のデッドスペース空間２６ｂを小さくすることができるとともに、フィルター排出口６０ａを大きくし、加湿空気の流れを滑らかにすることができる。
【００３１】
領域Ｍ４は、図６に示すようにファンケーシング２６により本体ケース２１の後方に形成される上下に延設する領域であり、その上下に延設する領域は加湿空気を排出する加湿空気排出通路５５とされる。そして領域Ｍ４の下方は領域Ｍ３に連通し、上方はトップケース２４に形成される吹出口４３に連通する。そして、領域Ｍ３で加湿された空気を加湿空気排出通路５５を介して黒塗り矢印（５）及び（６）で示すように吹出口４３から外部に放出する。
【００３２】
前記水溜部４１の右方に一体に形成される貯水部４２の上方空間が領域Ｍ５である。領域Ｍ５は略半円形で水タンク４５が載置される。この水タンク４５は、下端部に弁４６を内設したキャップ４７を有し、上端部に取手４８を有する円筒状の透明容器であり、内部に水を入れキャップ４７が貯水部４２に位置するように取手４８を持って領域Ｍ５に載置する。領域Ｍ５を形成する本体ケース２１は、直線状のガイド４９として形成されており、領域Ｍ５に水タンク４５を載置した際、直線状ガイド４９が略半円弧状の水タンク４５背面の直線部が面接触し水タンク４５を安定的に支持する。
【００３３】
貯水部４２には、水タンク４５のキャップ４７に内設する弁４６を開放するための突起５０、安全装置としてのフロートスイッチ５１、及び貯水部４２と水溜部４１とを連通する連絡口５２が設けられる。
【００３４】
水タンク４５が貯水部４２に載置されると、突起５０により弁４６が開放し所定量の水が貯水部４２に流出する。貯水部４２に流出した水の一部は、連絡口５２を介して水溜部４１内に流入し、貯水部４２に流出する水の高さと同じ高さまで水溜部４１内に水を供給する。
【００３５】
領域Ｍ６は、領域Ｍ２の右側のファンケーシング２６と本体ケーシングの一部である前記直線状ガイド４９との間に形成される領域Ｍ２の右方で且つ領域Ｍ３の上方の狭い空間であり、空気通路４４を介して領域Ｍ１と連通する。前記空気通路４４は、図６に示すように操作部３６の下面を形成する操作部区画壁３６ａと、本体ケース２１のフロントケース２２と、ファンケーシング２６との間に形成され、領域Ｍ１とＭ６とを連通する略三角柱体の空間であり、領域Ｍ１に導入される空気の一部を領域Ｍ６に供給する。
【００３６】
空気通路４４は、加湿器２０の前方で且つ操作部３６の直下に位置し、また、この位置は、吸気口３０及び送風ファン３２より上方であり、更には、加湿器２０の後方側に位置する加湿空気排出通路５５の前方側で、且つファン回転軸３３に平行になる位置である。空気通路４４をこのような位置にすることにより、加湿空気排出通路５５の流れが阻害されることなく、また、既存の部材も格別移動させる必要もないため、生産コストの高騰、並びに加湿器の大型化を抑えることができる。
【００３７】
また、空気が操作部区画壁３６ａに沿って流れるため、操作部３６内の基板３６ｂを間接的に冷却する機能を有する。その場合、僅かではあるが空気が加熱され、以後の加湿効率の向上に寄与する。この機能をより高めるため、操作部区画壁３６ａをなくし操作部３６内も空気通路にしてもよいが、このようにすると基板３６ｂにゴミ等が付着する恐れがある。なお、基板３６ｂを加湿器２０の天面である図示する操作部３６に設けることにより基板３６ｂの組立性が向上し、また、加湿器２０の転倒時に水の浸入が防止できる。
【００３８】
符号６０は回転フィルターである。回転フィルター６０は、図４及び図７に示すように複数のプレート６１、２枚のカバープレート６２ａ、６２ｂ、フィルター回転軸６３及びフィルターギヤ６４等からなる。図８にプレート６１の表面斜視図を示し、図９にフィルター回転軸６３の斜視図を示す。
【００３９】
プレート６１は樹脂製の円盤状部材であり、両表面に水の付着性を高めるためのシボ加工が施される。その中央には、軸孔６５が形成されるとともに、該軸孔６５には９０度間隔で放射状に等長の切溝６６が形成される。更に軸孔６５の回りには同一円周上で切溝６６の部分が欠落した高さｈの４個の円弧状突起６７が形成される。なお、プレート６１は少なくとも３枚以上にする。
【００４０】
カバープレート６２ａ、６２ｂは、プレート６１と同形の樹脂製の円盤状部材であり、それぞれ回転フィルター６０の両端部に配置される。フィルターギヤ６４側に位置するカバープレート６２ａは、軸孔６５及び切溝６６と同じものが形成され、フィルターギヤ６４と反対側に位置するカバープレート６２ｂの軸孔６５の内周面には図示しない雌ネジが形成される。
【００４１】
フィルター回転軸６３は、樹脂製の円柱状部材であり図９にその全体を示すように、軸心方向のほぼ全体にプレート６１の切溝６６が嵌合する４本のレール状突起６３ａが放射方向に等間隔に形成される。また、フィルター回転軸６３の一端には小径のギヤ取付部６３ｂ及びビス穴６３ｃが形成され、その他端には雄ネジ６３ｅを有する大径のカバープレート取付部６３ｄが形成される。
【００４２】
そしてフィルター回転軸６３のレール状突起６３ａの部分にはプレート６１が順次嵌合され、フィルターギヤ６４側の端部にはカバープレート６２ａが嵌合され、更にその外側の小径のギヤ取付部６３ｂには図７に示すようなフィルターギヤ６４が嵌合されビスで固定される。また、フィルターギヤ６４と反対側である大径のカバープレート取付部６３ｄには、カバープレート６２ｂがカバープレート取付部６３ｄの雄ネジ６３ｅに自身の雌ネジを螺合することにより固定される。
【００４３】
フィルターギヤ６４は、図７に示すように円周上に等ピッチで複数の歯車を有するギヤであり、回転フィルター６０が所定位置に取り付けられた後では、図４に示すようにフィルターモータ５３により回動されるモータギヤ５４に係合し回動される。
【００４４】
プレート６１のフィルター回転軸６３への取り付けは次のように行われる。まず、フィルター回転軸６３のカバープレート取付部６３ｄにカバープレート６２ｂを螺合する。次いでプレート６１を順次嵌合する。プレート６１の嵌合は、全てのプレート６１の表裏方向を同じにする。その場合、表面には円弧状突起６７が設けられているため方向の判別を容易に行うことができる。
【００４５】
このようにプレート６１の表面側の円弧状突起６７は、位置決め用として用いられるため分解後のプレート６１の組み立てを容易にすることができる。また、プレート６１の切溝６６はフィルター回転軸６３のレール状突起６３ａにキー係合することにより、プレート６１の空回転が防止され、例えプレート６１の一部を紛失或いは破損しプレート６１間に余分な隙間ができたとしてもプレート６１をフィルター回転軸６３に連動して回動することができるため従来とほぼ同様な加湿効果を維持することができる。
【００４６】
全てのプレート６１を同方向で嵌合後、端部カバーであるカバープレート６２ａを嵌合し、その後フィルターギヤ６４をビスにより固定し、回転フィルター６０を形成する。プレート６１の円弧状突起６７は、同じ高さであるため、組み立て後は円弧状突起６７が対向するプレート６１の裏面に当接し、各プレート６１間には高さｈ、即ち、略３ｍｍの隙間が形成される。プレート６１等をこのような形状にすることにより、プレート６１が破損したり、或いはプレート６１等に水中に含まれるミネラル等が付着したとしても回転フィルター６０を分解して容易に洗浄することができ、且つその後の組み立ても容易に行うことができる。
【００４７】
なお、プレート６１の表面積を増やし、水の付着量を増大させ水の気化量を増大するためプレート６１の表面にはシボ加工を施すと説明したが、表面積をより大きくする突起及び溝等の凹凸を設けてもよく、穴を複数設けても、その表面にゼオライトを設けてもよい。
【００４８】
組み立て後に回転フィルター６０は水受トレー３８の水溜部４１内に収納される。その際、右方隔壁３９に形成される軸受にカバープレート６２ｂの軸を軸支し、左方隔壁４０に形成される軸受にフィルターギヤ６４の後面に形成される軸を軸支する。回転フィルター６０はフィルターモータ５３により約４回／分で回転される。
【００４９】
水溜部４１内には、貯水部４２より水が導入されており、回転フィルター６０のプレート６１は、略１／３が水の下面になるような状態となる。そして略４回／分で回転される。この場合、回転フィルター６０の回転方向はどちら回りでもよい。
【００５０】
組立後の加湿器２０の各部材は、図４に示されるように、上から吹出口４３、送風ファン３２、ヒーター３７及び回転フィルター６０の順になり、更に、送風ファン３２のファン回転軸３３と回転フィルター６０のフィルター回転軸６３とは平行になり、吹出口４３の左右方向の中心と、送風ファン３２のファン排出口３５の左右方向の中心と、ヒーター３７のヒーター排出口３７ａの左右方向の中心と、回転フィルター６０のフィルター排出口６０ａの左右方向の中心とは、略同一面（図４でのＰ−Ｐ線面参照）上になる。
【００５１】
このような配置により、送風ファン３２からの空気は、前方且つ下方のヒーター３７に流れ、ヒーター３７から中央且つ下方の回転フィルター６０に流れ、回転フィルター６０から後方且つ上方の吹出口４３に流れるというように、ほぼ前後上下の流れになり、抵抗が少なくなり、その分加湿効率を向上する。
【００５２】
加湿運転時の作用について説明する。回転フィルター６０を組み付け水溜部４１に収納した後、水受トレー３８を後方から領域Ｍ３内に嵌め込む。その後、水を入れた水タンク４５を領域Ｍ５に載置する。すると貯水部４２及び水溜部４１に水が供給され、回転フィルター６０の略１／３は水没する。
【００５３】
次いで、操作部３６のスイッチをオンすると送風ファン３２が回転し、ヒーター３７が加熱する。送風ファン３２が回動すると吸気口３０から吸入される空気は、白抜き矢印（１）で示すようにファンモータ２９を有する領域Ｍ１に導入する。領域Ｍ１に導入した空気は、ファンモータ２９を冷却し、加熱される。
【００５４】
加熱された空気の一部は、白抜き矢印（２）で示すように領域Ｍ１に開口する第１の吸込口３４を介して送風ファン３２に導入され、他の空気の一部は白抜き矢印（２’）で示すように前記空気通路４４を通って領域Ｍ６に至り、領域Ｍ６に開口する第２の吸込口３４’を介して同じく白抜き矢印（２’）で示すように送風ファン３２に導入される。なお、このように１本のファン回転軸３３にファンを２個並設する形態により、送風ファン３２をコンパクトに配置することができ加湿器全体を小型化できるとともに、風量を増大することができる。また、空気通路４４を本来デッドスペースであった操作部区画壁３６ａと、本体ケース２１と、ファンケーシング２６との間に形成することにより、空気通路４４を新たに形成する必要がないため、それだけ加湿器の大型化が抑えられ、且つ生産コストの高騰を抑制することができる。
【００５５】
送風ファン３２内に導入された空気は白抜きの矢印（３）で示すように（図６参照）送風ファン３２によりにファン排出口３５に押し出され、ヒーター３７により加熱され、ヒーター排出口３７ａから白抜きの矢印（４）で示すように領域Ｍ３に供給される。
【００５６】
ヒーター３７により加熱された空気は、領域Ｍ３で回転フィルター６０のプレート６１間の隙間に流入する。プレート６１間のプレート６１の表面は、湿潤されており、その表面に加熱空気が当たることにより湿潤している水が気化乃至蒸気化して加湿空気となる。蒸気化した加湿空気は、黒塗りの矢印（５）で示すように領域Ｍ４に流れ、領域Ｍ４の加湿空気排出通路５５を上昇し、黒塗りの矢印（６）で示すようにトップケース２４に設けられる吹出口４３より室内に放出される。
【００５７】
本願発明は、上記実施例の構成に限定されるものではなく、発明の要旨を逸脱しない範囲において適宜設計変更可能である。
【図面の簡単な説明】
【００５８】
【図１】本願発明の加湿器の全体斜視図
【図２】本願発明の加湿器の平面図
【図３】本願発明の加湿器の背面図
【図４】図２のＩＶ−ＩＶ線断面図
【図５】図４のV−V線断面図
【図６】図２のVI−VI線断面図
【図７】本願発明の回転フィルターの斜視図
【図８】本願発明の回転フィルターのプレートの斜視図
【図９】本願発明の回転フィルターの軸の斜視図
【図１０】従来の加湿器を側面方向からみた断面図
【符号の説明】
【００５９】
２０…加湿器                  ２１…本体ケース
２２…フロントケース          ２３…リアケース
２４…トップケース            ２５…ボトムケース
２６…ファンケーシング        ２６ａ…区画壁
２６ｂ…デッドスペース空間    ２７…水平区画壁
２９…ファンモータ            ３０…吸気口
３１…エアーフィルター        ３２…送風ファン
３３…ファン回転軸            ３４…第１の吸込口
３４’…第２の吸込口          ３５…ファン排出口
３６…操作部                  ３６ａ…操作部区画壁
３６ｂ…基板                  ３７…ヒーター
３７ａ…ヒーター排出口        ３８…水受トレー
３９…右方隔壁                ４０…左方隔壁
４１…水溜部                  ４２…貯水部
４３…吹出口                  ４５…水タンク
４６…弁                      ４７…キャップ
４８…取手                    ４９…直線状ガイド
５０…突起                    ５１…フロートスイッチ
５２…連絡口                  ５３…フィルターモータ
５４…モータギヤ              ５５…加湿空気排出通路
６０…回転フィルター          ６０ａ…フィルター排出口
６１…プレート                ６２ａ，６２ｂ…カバープレート
６３…フィルター回転軸        ６３ａ…レール状突起
６３ｂ…ギヤ取付部            ６３ｃ…ビス穴
６３ｄ…カバープレート取付部  ６３ｅ…雄ネジ
６４…フィルターギヤ          ６５…軸孔
６６…切溝                    ６７…円弧状突起
【図１】
2009293830.tif 000003
【図２】
2009293830.tif 000004
【図３】
2009293830.tif 000005
【図４】
2009293830.tif 000006
【図５】
2009293830.tif 000007
【図６】
2009293830.tif 000008
【図７】
2009293830.tif 000009
【図８】
2009293830.tif 000010
【図９】
2009293830.tif 000011
【図１０】
2009293830.tif 000012